(57)【要約】【課題】太陽光発電システムのパワーコンディショナを直撃雷害から保護する。【解決手段】パワーコンディショナ保護装置１は、住宅Ｈの屋根に設置され、雷光及び雷鳴を検知し、検知した雷光と、雷鳴との時間差に基づいて雷雲が住宅Ｈから所定距離以内の領域（直撃雷域）にあると推定した場合に、開閉器２にパワーコンディショナ３の解列を指示するとともに、解列の指示から雷雲が通過する時間だけ経過し、かつ、雷雲が住宅Ｈから所定距離以上離れた領域にあると推定した場合に、開閉器２にパワーコンディショナ３の並列復帰を指示する。開閉器２は、パワーコンディショナ３の両端に接続され、パワーコンディショナ保護装置１からの指示に従ってパワーコンディショナ３の解列／並列復帰を行う。開閉器２を開路にすることにより、太陽電池アレイ５、柱上変圧器１１やその周辺が直撃雷を受けたとしても、解列されたパワーコンディショナ３は雷害を受けずに済む。【選択図】図１
2011101557.tif 000002
【特許請求の範囲】
【請求項１】
雷光を検知する手段と、
雷鳴を検知する手段と、
前記雷光を検知した時刻である雷光検知時刻と、前記雷鳴を検知した時刻である雷鳴検知時刻とを記憶する手段と、
記憶した前記雷光検知時刻と、前記雷鳴検知時刻との時間差を計算する手段と、
計算した前記時間差が第１の所定値以内であるという判定を行った場合に、太陽光発電システムのパワーコンディショナに接続された開閉器に当該パワーコンディショナの解列を指示する手段と、
を備えることを特徴とするパワーコンディショナ保護装置。
【請求項２】
請求項１に記載のパワーコンディショナ保護装置であって、
計算した前記時間差が前記第１の所定値より大きく、かつ、前記解列を指示した時から第２の所定値が経過したという判定を行った場合に、前記開閉器に当該パワーコンディショナの並列復帰を指示する手段
をさらに備えることを特徴とするパワーコンディショナ保護装置。
【請求項３】
（装置クレーム：所定時間内の複数の雷光及び雷鳴の対応を特定）
請求項１又は請求項２に記載のパワーコンディショナ保護装置であって、
所定の時間内に複数の雷光及び複数の雷鳴を検知した場合に、
前記雷光検知時刻ごとに当該雷光検知時刻と、各雷鳴検知時刻との時間差を計算する手段と、
前記雷光検知時刻ごとに計算した複数の時間差のうち、前記雷光検知時刻の間で共通の値を、同じ雷雲から発生した雷光と、雷鳴とに係る時間差として特定する手段と、
をさらに備えることを特徴とするパワーコンディショナ保護装置。
【請求項４】
請求項１ないし請求項３のいずれか一項に記載のパワーコンディショナ保護装置であって、
検知した前記雷光のレベル及び変化率が所定値以上の場合に前記雷光検知時刻を記憶し、
検知した前記雷鳴のレベル及び変化率が所定値以上の場合に前記雷鳴検知時刻を記憶する
ことを特徴とするパワーコンディショナ保護装置。
【請求項５】
請求項１ないし請求項４のいずれか一項に記載のパワーコンディショナ保護装置であって、
所定の地域範囲に設置された複数の他のパワーコンディショナ保護装置から前記判定の結果を取得する手段と、
他のパワーコンディショナ保護装置の前記判定の結果及び自らの前記判定の結果に基づいて、前記開閉器に解列又は並列復帰を指示する手段と、
をさらに備えることを特徴とするパワーコンディショナ保護装置。
【請求項６】
コンピュータにより太陽光発電システムのパワーコンディショナを直撃雷害から保護する方法であって、
前記コンピュータは、
雷光を検知するステップと、
雷鳴を検知するステップと、
前記雷光を検知した時刻である雷光検知時刻と、前記雷鳴を検知した時刻である雷鳴検知時刻とを記憶するステップと、
記憶した前記雷光検知時刻と、前記雷鳴検知時刻との時間差を計算するステップと、
計算した前記時間差が第１の所定値以内であるという判定を行った場合に、前記パワーコンディショナに接続された開閉器に当該パワーコンディショナの解列を指示するステップと、
を実行することを特徴とするパワーコンディショナ保護方法。
【請求項７】
請求項６に記載のパワーコンディショナ保護方法であって、
前記コンピュータは、
計算した前記時間差が前記第１の所定値より大きく、かつ、前記解列を指示した時から第２の所定値が経過したという判定を行った場合に、前記開閉器に当該パワーコンディショナの並列復帰を指示するステップ
をさらに実行することを特徴とするパワーコンディショナ保護方法。
【請求項８】
請求項６又は請求項７に記載のパワーコンディショナ保護方法であって、
前記コンピュータは、
所定の時間内に複数の雷光及び複数の雷鳴を検知した場合に、
前記雷光検知時刻ごとに当該雷光検知時刻と、各雷鳴検知時刻との時間差を計算するステップと、
前記雷光検知時刻ごとに計算した複数の時間差のうち、前記雷光検知時刻の間で共通の値を、同じ雷雲から発生した雷光と、雷鳴とに係る時間差として特定するステップと、
をさらに実行することを特徴とするパワーコンディショナ保護方法。
【請求項９】
請求項６ないし請求項８のいずれか一項に記載のパワーコンディショナ保護方法であって、
前記コンピュータは、
検知した前記雷光のレベル及び変化率が所定値以上の場合に前記雷光検知時刻を記憶し、
検知した前記雷鳴のレベル及び変化率が所定値以上の場合に前記雷鳴検知時刻を記憶する
ことを特徴とするパワーコンディショナ保護方法。
【請求項１０】
請求項６ないし請求項９のいずれか一項に記載のパワーコンディショナ保護方法であって、
前記コンピュータは、
所定の地域範囲に設置された複数の他のコンピュータから前記判定の結果を取得するステップと、
他のコンピュータの前記判定の結果及び自らの前記判定の結果に基づいて、前記開閉器に解列又は並列復帰を指示するステップと、
をさらに実行することを特徴とするパワーコンディショナ保護方法。
【発明の詳細な説明】
【技術分野】
【０００１】
本発明は、太陽光発電システムのパワーコンディショナを直撃雷害から保護するためのパワーコンディショナ保護装置に関する。
【背景技術】
【０００２】
太陽光発電システムにおける雷害対策の手段として、避雷器を取り付けることが誘導雷に対して有効であると言われている。
【先行技術文献】
【特許文献】
【０００３】
【特許文献１】特開２００７−１１６８５７号公報
【発明の概要】
【発明が解決しようとする課題】
【０００４】
ところが、現実には、直撃雷に対して避雷器自体が焼傷し、高価なパワーコンディショナが被害を受ける事例が発生している。今後、太陽光発電システムの普及に伴って、直撃雷による雷害件数は増加することが予測されるため、直撃雷害が普及の阻害要因になると懸念される。太陽光発電システムは、現在１０年間の保証制度があるが、今後４０年間使用し続けるためには、雷に対する恒久的な対策が必要不可欠である。
【０００５】
なお、特許文献１には、開閉器を解列して雷害を防止する太陽光発電装置用制御装置が開示されているが、開閉器に解列／並列を指示するために雷の接近を検知する方法については記載されていない。
【０００６】
本発明は、上記課題を鑑みてなされたものであり、その主たる目的は、太陽光発電システムのパワーコンディショナを直撃雷害から保護することにある。
【課題を解決するための手段】
【０００７】
上記課題を解決するために、本発明は、パワーコンディショナ保護装置であって、雷光を検知する手段と、雷鳴を検知する手段と、前記雷光を検知した時刻である雷光検知時刻と、前記雷鳴を検知した時刻である雷鳴検知時刻とを記憶する手段と、記憶した前記雷光検知時刻と、前記雷鳴検知時刻との時間差を計算する手段と、計算した前記時間差が第１の所定値以内であるという判定を行った場合に、太陽光発電システムのパワーコンディショナに接続された開閉器に当該パワーコンディショナの解列を指示する手段と、を備えることを特徴とする。
【０００８】
この構成によれば、雷光検知時刻と、雷鳴検知時刻との時間差によりパワーコンディショナ保護装置から直撃雷域内に雷雲があると判定した場合に、開閉器により太陽光発電システムのパワーコンディショナを解列するので、パワーコンディショナの直撃雷害を防止することができる。
【０００９】
また、本発明の上記パワーコンディショナ保護装置において、計算した前記時間差が前記第１の所定値より大きく、かつ、前記解列を指示した時から第２の所定値が経過したという判定を行った場合に、前記開閉器に当該パワーコンディショナの並列復帰を指示する手段をさらに備えることとしてもよい。  
この構成によれば、パワーコンディショナを解列した後、雷雲の通過に十分な時間が経過し、かつ、雷光検知時刻と、雷鳴検知時刻と時間差により直撃雷域外に雷雲があると判定した場合に、開閉器によりパワーコンディショナを並列復帰するので、パワーコンディショナを再稼動することができる。
【００１０】
また、本発明の上記パワーコンディショナ保護装置において、所定の時間内に複数の雷光及び複数の雷鳴を検知した場合に、前記雷光検知時刻ごとに当該雷光検知時刻と、各雷鳴検知時刻との時間差を計算する手段と、前記雷光検知時刻ごとに計算した複数の時間差のうち、前記雷光検知時刻の間で共通の値を、同じ雷雲から発生した雷光と、雷鳴とに係る時間差として特定する手段と、をさらに備えることとしてもよい。  
この構成によれば、雷雲が移動しない同じ時間帯に複数の雷光及び複数の雷鳴を検知した場合に、同じ位置にある雷雲によると考えられる雷光の検知時刻と、雷鳴の検知時刻との対応付けを行うことにより、その雷雲から出た雷光と、雷鳴とに係る時間差を精度よく特定することができる。
【００１１】
また、本発明の上記パワーコンディショナ保護装置において、検知した前記雷光のレベル及び変化率が所定値以上の場合に前記雷光検知時刻を記憶し、検知した前記雷鳴のレベル及び変化率が所定値以上の場合に前記雷鳴検知時刻を記憶することとしてもよい。  
この構成によれば、雷光及び雷鳴のレベルと、各下限値とを比較チェックしてそれぞれの検知時刻を記憶するので、屋外における光や音のノイズを除去し、雷判定の精度を上げることができる。また、雷光及び雷鳴の変化率も各下限値と比較チェックして検知時刻を記憶するので、屋外において雷によって急に発生する光と音だけを精度よく検知することができる。
【００１２】
また、本発明の上記パワーコンディショナ保護装置において、所定の地域範囲に設置された複数の他のパワーコンディショナ保護装置から前記判定の結果を取得する手段と、他のパワーコンディショナ保護装置の前記判定の結果及び自らの前記判定の結果に基づいて、前記開閉器に解列又は並列復帰を指示する手段と、をさらに備えることとしてもよい。  
この構成によれば、自装置による判定結果だけでなく、同じ地域に設置された他のパワーコンディショナ保護装置による判定結果を含めて考慮することにより、１台の装置だけによる、雷光、雷鳴の誤検出や計算、処理の誤動作を原因とする誤判定を防止することができる。
【００１３】
なお、本発明は、パワーコンディショナ保護方法を含む。その他、本願が開示する課題及びその解決方法は、発明を実施するための形態の欄、及び図面により明らかにされる。
【発明の効果】
【００１４】
本発明によれば、太陽光発電システムのパワーコンディショナを直撃雷害から保護することができる。
【図面の簡単な説明】
【００１５】
【図１】住宅に設置される電力設備の構成を示す図である。
【図２】パワーコンディショナ保護装置１の構成を示す図である。
【図３】パワーコンディショナ保護装置１の記憶部１６に記憶されるデータの構成を示す図であり、（ａ）は雷光データ１６Ａの構成を示し、（ｂ）は雷鳴データ１６Ｂの構成を示す。
【図４】パワーコンディショナ保護装置１の処理の概要を示すブロック図である。
【図５】パワーコンディショナ保護装置１の処理の詳細を示すフローチャートである。
【図６】図５のＳ５０５及びＳ５０６の処理の具体例を示す図である。
【発明を実施するための形態】
【００１６】
以下、図面を参照しながら、本発明を実施するための形態を説明する。本発明の実施の形態に係るパワーコンディショナ保護装置は、直撃雷が予測される距離内に雷雲があるのを検知した場合に、太陽光発電システムのパワーコンディショナに接続された開閉器に当該パワーコンディショナの解列を指示し、解列後に雷雲の通過時間が経過し、かつ、雷雲が上記距離外に離れているのを検知した場合に、上記パワーコンディショナの並列復旧を指示するものである。直撃雷域における雷雲の有無の判定は、雷光及びそれに対応する雷鳴を特定し、特定した雷光と雷鳴に係る時間差と、直撃雷を受ける可能性のある最大距離を雷鳴が伝わる時間値とを比較することにより行う。
【００１７】
≪装置とその周辺の構成と概要≫
図１は、住宅に設置される電力設備の構成を示す図である。一般の住宅Ｈには、パワーコンディショナ保護装置１、開閉器２、パワーコンディショナ３、複数の太陽電池モジュール４からなる太陽電池アレイ５、中継端子箱６、電力量計７と８、分電盤９、テレビや冷蔵庫等の負荷１０が設置される。
【００１８】
パワーコンディショナ保護装置１は、直撃雷害からパワーコンディショナ３を保護するための装置であり、住宅Ｈの屋根に設置され、雷光や雷鳴から雷雲が住宅Ｈから所定距離以内にあると推定した場合に、開閉器２にパワーコンディショナ３の解列を指示し、雷雲が住宅Ｈから所定距離より離れた位置にあると推定した場合に、開閉器２にパワーコンディショナ３の並列復帰を指示する。開閉器２は、パワーコンディショナ３の両端に接続され、パワーコンディショナ保護装置１からの指示に従ってパワーコンディショナ３の解列／並列復帰を行う。開閉器２を開路にすることにより、太陽電池アレイ５、柱上変圧器１１やその周辺が直撃雷を受けたとしても、解列されたパワーコンディショナ３は雷害を受けずに済む。
【００１９】
パワーコンディショナ３は、太陽電池アレイ５から中継端子箱６を経由して受電した直流電力を交流電力に変換し、変換した交流電力を分電盤９に供給する。これにより、太陽電池アレイ５により生成された電力が家庭内の負荷１０で使えるようになる。
【００２０】
一方、柱上変圧器１１から交流電力が分電盤９に供給され、さらに家庭内の負荷１０で消費される。電力量計７は、需要電力用であり、家庭内で消費される電力量を計測する。電力量計８は、余剰電力用であり、太陽電池アレイ５により発電し、家庭内の負荷１０で消費した後に余った電力量を計測する。
【００２１】
図２は、パワーコンディショナ保護装置１の構成を示す図である。パワーコンディショナ保護装置１は、雷光計測部１１、雷鳴計測部１２、発電量取得部１３、開閉器制御部１４、処理部１５及び記憶部１６を備える。雷光計測部１１は、雷光を検知し、その光の強度を計測し、その計測値データを処理部１５に出力する部分であり、例えば、半導体を用いた光電変換デバイス等によって実現される。雷鳴計測部１２は、雷鳴を検知し、その音の大きさを計測し、その計測値データを処理部１５に出力する部分であり、例えば、マイクロフォン等によって実現される。発電量取得部１３は、太陽電池アレイ５による発電量を取得し、処理部１５に出力する部分であり、例えば、パワーコンディショナ３から変換した交流電力を計測することによって実現される。開閉器制御部１４は、処理部１５からの要求に応じて、開閉器２に対してパワーコンディショナ３の解列又は並列復帰を指示する。処理部１５は、所定のメモリを介して各部間のデータの受け渡しを行うととともに、パワーコンディショナ保護装置１全体の制御を行うものであり、ＣＰＵ（Central Processing Unit）が所定のメモリに格納されたプログラムを実行することによって実現される。記憶部１６は、処理部１５からデータを記憶したり、記憶したデータを読み出したりするものであり、例えば、ＨＤＤ（Hard Disk Drive）やＳＳＤ（Solid State Drive）等の不揮発性記憶装置によって実現される。
【００２２】
≪データの構成≫
図３は、パワーコンディショナ保護装置１の記憶部１６に記憶されるデータの構成を示す図である。図３（ａ）は、雷光データ１６Ａの構成を示す。雷光データ１６Ａは、所定の期間（例えば、３０秒間）に検出した雷光のデータであり、期間１６Ａ１及び雷光計測時刻１６Ａ２を含む、期間ごとのレコードからなる。期間１６Ａ１は、３０秒ごとの検出期間を示し、時間の経過に伴って３０秒ごとに設定される。雷光計測時刻１６Ａ２は、雷光計測部１１が雷光の強度を計測し、その計測値が所定値以上である雷光の計測時刻が設定される。図３（ａ）の例は、Ｐ０及びＰ３の期間に雷光がなく、Ｐ１の期間に３回の雷光があり、Ｐ２の期間に２回の雷光があったことを示す。なお、３０秒〜１分（所定の時間内）は、雷雲がほとんど移動しない程度の時間であり、その時間内の雷光は同じ位置にある雷雲からであると見なせる時間である。
【００２３】
図３（ｂ）は、雷鳴データ１６Ｂの構成を示す。雷鳴データ１６Ｂは、所定の期間（例えば、３０秒間）に検出した雷鳴のデータであり、期間１６Ｂ１及び雷鳴計測時刻１６Ｂ２を含む、期間ごとのレコードからなる。期間１６Ｂ１は、３０秒ごとの検出期間を示し、時間の経過に伴って３０秒ごとに設定される。雷鳴計測時刻１６Ｂ２は、雷鳴計測部１２が雷鳴の大きさを計測し、その計測値が所定値以上である雷鳴の計測時刻が設定される。図３（ｂ）の例は、Ｐ０及びＰ３の期間に雷鳴がなく、Ｐ１の期間に３回の雷光があり、Ｐ２の期間に２回の雷光があったことを示す。なお、３０秒〜１分（所定の時間内）は、雷雲がほとんど移動しない程度の時間であり、その時間内の雷鳴は同じ位置にある雷雲からであると見なせる時間である。従って、３０秒〜１分の間は、同じ位置にある雷雲からの雷光及び雷鳴であると見なせるので、雷光と雷鳴の間隔も変わらないものとする。
【００２４】
≪装置の処理≫
図４は、パワーコンディショナ保護装置１の処理の概要を示すブロック図である。まず、雷光計測部１１で雷光を計測した時刻と、雷鳴計測部１２で雷鳴を計測した時刻との時間差をチェックする。「雷鳴計測時刻−雷光計測時刻」の時間差が１０秒以下であり、かつ、発電量取得部１３が取得した発電量が微量以上であれば、開閉器制御部１４の指示により開閉器２がパワーコンディショナ３を解列する。「微量」とは、雷の光による微量の発電量を意味する。上記時間差が１０秒より大きく、かつ、開閉器２が解列してから１０分以上経過していれば、開閉器制御部１４の指示により開閉器２がパワーコンディショナ３を並列復帰する。
【００２５】
時間差のしきい値である１０秒（第１の所定値）は、住宅Ｈが直撃雷を受ける可能性がある直撃雷域（約２ｋｍ以内）に雷雲があったときに、雷雲から住宅Ｈまで雷鳴が届く時間である約６秒にマージンを持たせた値である。経過時間のしきい値である１０分（第２の所定値）は、雷雲が住宅Ｈを中心とする直撃雷域を通過するのに十分であると考えられる時間である。
【００２６】
なお、住宅Ｈが誘導雷を受ける可能性がある誘導雷域は約１０ｋｍ以内であり、そのうち約２ｋｍ以上離れた領域の雷に対しては、避雷器により対策が可能である。また、住宅Ｈで雷鳴が聞こえる雷鳴可聴域は、約１５ｋｍ以内である。
【００２７】
図５は、パワーコンディショナ保護装置１の処理の詳細を示すフローチャートである。本処理は、図４の示す論理を実際にパワーコンディショナ保護装置１の処理部１５が実現するための手順を説明するものである。
【００２８】
パワーコンディショナ保護装置１において、まず、処理部１５は、３０秒間を周期として、雷光計測部１１が計測した雷光の強度を取得し、雷鳴計測部１２が計測した雷鳴の大きさを取得するとともに、その取得した計測値のうち、所定値以上のものを抽出し、その抽出した計測値の計測時刻を記憶部１６の雷光データ１６Ａ及び雷鳴データ１６Ｂに記憶する（Ｓ５０１）。このとき、図３に示すように、雷光及び雷鳴を分けて３０秒の期間ごとに計測時刻を格納する。なお、所定値以上の計測値を抽出するのは、屋外における光や音のノイズを除去するためである。
【００２９】
次に、処理部１５は、最近の３０秒間において雷光を検出したか否かを判定する（Ｓ５０２）。詳細には、所定の３０秒間が経過した後に、雷光データ１６Ａのうち、当該３０秒間の期間１６Ａ１に雷光計測時刻１６Ａ２が設定されているか否かを判定する。雷光を検出していれば（Ｓ５０２のＹ）、当該３０秒間の雷光のうち、最初に検出した雷光から１０秒以内に雷鳴を検出したか否かを判定する（Ｓ５０３）。詳細には、雷光データ１６Ａのうち、当該３０秒間の期間１６Ａ１（例えば、Ｐ２）に設定された最初の雷光計測時刻１６Ａ２（例えば、Ｒ４）を特定する。そして、雷鳴データ１６Ｂのうち、同じ期間１６Ｂ１（例えば、Ｐ２）に設定された雷鳴計測時刻１６Ｂ２の中に、雷光計測時刻１６Ａ２（例えば、Ｒ４）から１０秒以内のものがあるか否かを判定する。
【００３０】
該当する雷鳴計測時刻１６Ｂ２があれば（Ｓ５０３のＹ）、処理部１５は、雷光データ１６Ａのうち、１つ前の３０秒間の期間１６Ａ１（例えば、Ｐ１）に雷光を検出したか否か、すなわち、雷光計測時刻１６Ａ２が設定されているか否かを判定する（Ｓ５０４）。１つ前の３０秒間に雷光を検出していれば（Ｓ５０４のＹ）、１つ前の３０秒間（Ｐ１）と、最近の３０秒間（Ｐ２）とを合わせた１分間の期間について、同じ雷による雷光計測時刻１６Ａ２と、雷鳴計測時刻１６Ｂ２との対応付けを行うために、雷光計測時刻１６Ａ２ごとに、当該雷光計測時刻１６Ａ２と、各雷鳴計測時刻１６Ｂ２との時間差を計算する（Ｓ５０５）。そして、雷光計測時刻１６Ａ２ごとに計算した複数の時間差のうち、雷光計測時刻１６Ａ２間で共通する値を抽出し、その共通値を同じ雷雲の同じ雷による雷光と、雷鳴とに係る時間差として特定する（Ｓ５０６）。
【００３１】
続いて、処理部１５は、上記時間差が１０秒以下か否かを判定する（Ｓ５０７）。１０秒以下であれば（Ｓ５０７のＹ）、雷雲が直撃雷域にあることを意味するので、発電量取得部１３から取得した発電量が微量以上か否かを判定する（Ｓ５０８）。発電量が微量以上であれば（Ｓ５０８のＹ）、開閉器制御部１４に開閉器２への解列指示を要求する（Ｓ５０９）。なお、Ｓ５０４で１つ前の３０秒間に雷光を検出していなければ（Ｓ５０４のＮ）、最初に検出した雷光と、それから１０秒以内の雷鳴とが同じ雷によるものと考えられるので、Ｓ５０８の判定を行う。
【００３２】
また、最近の３０秒間に雷光を検出していない場合（Ｓ５０２のＮ）、最初の雷光から１０秒以内に雷鳴を検出していない場合（Ｓ５０３のＮ）、雷光と、雷鳴との時間差が１０秒より大きい場合（Ｓ５０７のＮ）又は発電量が微量に足らない場合（Ｓ５０８のＮ）には、いずれも開閉器２の解列条件を満たさないので、Ｓ５０１の計測値の記憶に戻る。例えば、光があったとしても音がないか、１０秒より時間がかかって音があったのであれば、雷雲は直撃雷域より遠くにあると考えられるので、何もせず、Ｓ５０１に戻る。
【００３３】
処理部１５は、開閉器２への解列指示の要求（Ｓ５０９）をした時から、雷雲が直撃雷域を通過する時間である１０分以上が経過するのを待つ（Ｓ５１０）。その後、雷光から１０秒以降に雷鳴があったか否かを判定する（Ｓ５１１）。この判定では、実際に雷光を検知してから１０秒以内に雷鳴を検知しなかったことを確認する。該当する事象を検出しなければ（Ｓ５５１のＮ）、その判定を繰り返す。該当する事象を検出すれば（Ｓ５５１のＹ）、開閉器制御部１４に開閉器２への並列復帰指示を要求し（Ｓ５１２）、Ｓ５０１の計測値の記憶に戻る。
【００３４】
≪実施例≫
図６は、図５のＳ５０５及びＳ５０６の処理の具体例を示す図である。雷光を検知するレベルとして、（Ａ）検知しないレベル、（Ｂ）もうすぐ検知するレベル、（Ｃ）検知するレベルの３例を示している。一例として、（Ｃ）検知するレベルについて説明する。まず、期間Ｐ２に雷光計測時刻が２つあり、最初の雷光計測時刻Ｒ４から１０秒以内（実際には約８秒後）に雷鳴計測時刻Ｓ４があり、さらに１つ前の期間Ｐ１に雷光計測時刻Ｒ１〜Ｒ３があるので、Ｓ５０５及びＳ５０６の処理により、同じ雷から発生した雷光と、雷鳴との対応付けを行って、それらの時間差を特定する。その際、図６に示すように、雷光計測時刻Ｒ２、Ｒ３及びＲ４について、雷鳴計測時刻Ｓ２、Ｓ３、Ｓ４及びＳ５との時間差を計算し、雷光計測時刻別のグループに分けて、雷光計測時刻と、雷鳴計測時刻との対応付け及びそれらの時間差を記憶する。そして、３つのグループ間で共通する時間差を抽出することにより、その時間差の基である雷光計測時刻と、雷鳴計測時刻とが同じ雷によるものとして対応することになる。（Ｃ）の場合には、共通の時間差は「８秒」になり、Ｒ４とＳ４、Ｒ３とＳ３、Ｒ２とＳ２がそれぞれ対応する。（Ａ）及び（Ｂ）についても同様の処理を行い、共通の時間差はそれぞれ「２８秒」及び「１６秒」になり、同様の時刻同士が対応する。
【００３５】
なお、上記実施の形態では、図２に示すパワーコンディショナ保護装置１の各部を機能させるために、処理部１５で実行されるプログラムをコンピュータにより読み取り可能な記録媒体に記録し、その記録したプログラムをコンピュータに読み込ませ、実行させることにより、本発明の実施の形態に係るパワーコンディショナ保護装置１が実現されるものとする。この場合、プログラムをインターネット等のネットワーク経由でコンピュータに提供してもよいし、プログラムが書き込まれた半導体チップ等をコンピュータに組み込んでもよい。
【００３６】
以上説明した本発明の実施の形態によれば、雷光計測時刻１６Ａ２と、雷鳴計測時刻１６Ｂ２との時間差によりパワーコンディショナ保護装置１から直撃雷域内に雷雲があると判定した場合に、開閉器２により太陽光発電システムのパワーコンディショナ３を解列するので、パワーコンディショナ３の直撃雷害を防止することができる。また、その後雷雲の通過に十分な時間が経過し、かつ、上記時間差により直撃雷域外に雷雲があると判定した場合に、開閉器２によりパワーコンディショナ３を並列復帰するので、パワーコンディショナ３を再稼動することができる。
【００３７】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００３８】
（１）上記実施の形態では、パワーコンディショナ保護装置１が、雷光の強度及び雷鳴の大きさが所定値以上の場合に、雷光の計測時刻及び雷鳴の計測時刻をそれぞれ記憶部１６に記憶するように説明したが、さらに雷光の強度の時間的変化率及び雷鳴の大きさの時間的変化率が所定値以上という条件を追加してもよい。これによれば、雷光や雷鳴は急に検出されるものなので、所定値以上の強度の光や、所定値以上の大きさの音であっても、時間をかけて徐々にゆっくりと所定値以上になったものは雷によるとは考えられないため、そういった光や音を除外することで、雷光や雷鳴の検出精度を上げることができる。
【００３９】
（２）上記実施の形態では、１台のパワーコンディショナ保護装置１が直撃雷域にある雷を検出するように説明したが、例えば、直撃雷域の半径１〜２ｋｍの円領域内に密集した複数の住宅Ｈに設置されたパワーコンディショナ保護装置１から、雷に関する判定結果を取得し、その判定結果の多数決によって総合的な判定結果を求め、その判定結果を各パワーコンディショナ保護装置１に返すようなサーバを設けてもよい。また、円領域内のパワーコンディショナ保護装置１のうち、１台が上記サーバの機能を持つようにしてもよい。これによれば、１台のパワーコンディショナ保護装置１だけでは、雷光計測部１１や雷鳴計測部１２の誤検出、発電量取得部１３や処理部１５の誤動作等により、誤判定を出してしまう可能性があり得るが、同じ地域における複数のパワーコンディショナ保護装置１による判定結果に基づいて極力正しい判定を出すことができる。
【００４０】
例えば、自宅のパワーコンディショナ保護装置１では雷が近いと判断したが、周り（近隣）に検知した家がない場合には、誤認識と判断する。一方、自宅のパワーコンディショナ保護装置１では雷を検知していないが、周りで検知した家が多い場合には、検知したものとする。そして、開閉器２の入切の管理は、住宅Ｈごとに行ってもよいし、地域で統一する場合にはサーバで一括して行ってもよい。
【符号の説明】
【００４１】
１      パワーコンディショナ保護装置
１１    雷光計測部（雷光を検知する手段）
１２    雷鳴計測部（雷鳴を検知する手段）
１３    発電量取得部
１４    開閉器制御部（解列を指示する手段、並列復帰を指示する手段）
１５    処理部
１６    記憶部
１６Ａ１  期間（時間帯）
１６Ａ２  雷光計測時刻（雷光検知時刻）
１６Ｂ１  期間（時間帯）
１６Ｂ２  雷光計測時刻（雷鳴検知時刻）
２      開閉器
３      パワーコンディショナ
Ｈ      住宅
【図１】
2011101557.tif 000003
【図２】
2011101557.tif 000004
【図３】
2011101557.tif 000005
【図５】
2011101557.tif 000006
【図６】
2011101557.tif 000007
【図４】
2011101557.tif 000008